(57)【要約】【課題】水洗いに対応することができる上にブラシ部で毛髪を捉えることが容易なものとする。【解決手段】送風手段及び加熱手段を内蔵している本体１と、多数のブリスルが突設されているとともに吹き出し口を備えているブラシ部２１と、本体から吐出される温風を導く風洞部２０とからなり、ブラシ部２１が風洞部２０に着脱自在とされている。ブラシ部２１はブリスル２５が装着された柔軟性を有するブリスルベース２２と、ブリスルベース２２の周縁部に配されている支持枠２４とを備える。ブリスルベースそのものは柔軟性が高くてブリスルで毛髪を捉えることが容易である上に、風洞部に対して着脱自在であることから、風洞部内に電気回路が配設されていてもブラシ部分の水洗いが可能であり、しかも支持枠がブリスルベースの周縁部に配されているために、風洞部に対する着脱等のためにブラシ部に求められる強度を満たすことができる。【選択図】  図１
2004222745.tif 000002
【特許請求の範囲】
【請求項１】
送風手段及び加熱手段を内蔵している本体と、多数のブリスルが突設されているとともに吹き出し口を備えているブラシ部と、本体から吐出される温風を導く風洞部とからなり、ブラシ部が風洞部に着脱自在とされているブラシ付きヘアドライヤーであり、上記ブラシ部はブリスルが装着された柔軟性を有するブリスルベースと、このブリスルベースの周縁部に配されて柔軟性を有するブリスルベースの周縁部の強度を高めている支持枠とを備えていることを特徴とするブラシ付ヘアドライヤー。
【請求項２】
支持枠は金属製であることを特徴とする請求項１記載のブラシ付ヘアドライヤー。
【請求項３】
支持枠はブリスルベースの周縁に沿って配設された金属線で形成されていることを特徴とする請求項１または２記載のブラシ付ヘアドライヤー。
【請求項４】
支持枠がブラシ部の風洞部への着脱用係合部を備えていることを特徴とする請求項１〜３のいずれかの項に記載のブラシ付ヘアドライヤー。
【請求項５】
ブラシ部は風洞部に設けられた係合溝に係合するフックを備えており、風洞部は上記係合溝に向けて上記フックを押圧付勢するばね部材を備えていることを特徴とする請求項１〜４のいずれかの項に記載のブラシ付ヘアドライヤー。
【請求項６】
ブラシ部はブリスルベースの背面側に位置してブリスルベースに挿通されたブリスルの背後を保持する金属製プレートを備えていることを特徴とする請求項１〜５のいずれかの項に記載のブラシ付ヘアドライヤー。
【請求項７】
ブラシ部に接触してブラシ部の接地を行う接地用接触部材を備えていることを特徴とする請求項１〜６のいずれかの項に記載のブラシ付ヘアドライヤー。
【請求項８】
風洞部はその内部にイオンやスチーム等を発生させるための電気回路部を備えていることを特徴とする請求項１〜７のいずれかの項に記載のブラシ付ヘアドライヤー。
【発明の詳細な説明】
【０００１】
【発明の属する技術分野】
本発明は多数のブリスルが突設されているとともに吹き出し口を備えているブラシ部が設けられたブラシ付ヘアドライヤーに関するものである。
【０００２】
【従来の技術】
毛髪乾燥や整髪を効果的に行うためにブラシ部が設けられているヘアドライヤーがある。この種のブラシ付ヘアドライヤーでは、ブラシ部を側面に備えた風洞部内を温風を通る関係上、ブラシ部も剛性の高い成形品で構成されている。特にマイナスイオン発生機構やスチーム発生機構が設けられているものでは、ブラシ部を側面に備えた風洞部内にマイナスイオンやスチームの発生機構を配していることから、なおさら高い剛性を持つものにされている。
【０００３】
【発明が解決しようとする課題】
ところで、ブラシ付ヘアドライヤーに関しては、ブラシ部を水洗いしたいとのユーザーニーズがある。
【０００４】
しかし、組立等の都合上、送風手段及び加熱手段を内蔵している本体に対して、上記ブラシ部が風洞部ごと着脱自在となっているものでは、電気回路を含む部材を水洗いすることになり、電気的な危険性の点から水洗いできるようにすることは困難である。
【０００５】
もちろん、上記発生機構のような電気回路を風洞部に内蔵していないものにおいては、本体から取り外した状態で水洗いすることが可能であるが、このものにおいても、前述のように剛性の高い成形品で形成されていることから、ブラシ部で毛髪を捉えるという点において、通常のヘアブラシに比してブラシ性能が低い。
【０００６】
本発明はこのような点に鑑みなされたものであって、その目的とするところは水洗いに対応することができる上にブラシ部で毛髪を捉えることが容易であるブラシ付きヘアドライヤーを提供するにある。
【０００７】
【課題を解決するための手段】
しかして本発明は、送風手段及び加熱手段を内蔵している本体と、多数のブリスルが突設されているとともに吹き出し口を備えているブラシ部と、本体から吐出される温風を導く風洞部とからなり、ブラシ部が風洞部に着脱自在とされているブラシ付きヘアドライヤーであり、上記ブラシ部はブリスルが装着された柔軟性を有するブリスルベースと、このブリスルベースの周縁部に配されて柔軟性を有するブリスルベースの周縁部の強度を高めている支持枠とを備えていることに特徴を有している。ブリスルベースそのものは柔軟性が高くてブリスルベースに設けたブリスルで毛髪を捉えることが容易である上に、風洞部に対して着脱自在であることから、たとえ風洞部内に電気回路が配設されていてもブラシ部分の水洗いが可能なものであり、しかも支持枠がブリスルベースの周縁部に配されているために、風洞部に対する着脱等のためにブラシ部に求められる強度を満たすことができる。
【０００８】
上記支持枠は金属製であることが望ましく、特にブリスルベースの周縁に沿って配設された金属線で形成されたものが望ましい。
【０００９】
そして、支持枠がブラシ部の風洞部への着脱用係合部を備えていることが強度的な点でより好ましい。
【００１０】
ブラシ部が風洞部に設けられた係合溝に係合するフックを備えたものにおいては、風洞部は上記係合溝に向けて上記フックを押圧付勢するばね部材を備えていると良い。
【００１１】
また、ブラシ部はブリスルベースの背面側に位置してブリスルベースに挿通されたブリスルの背後を保持する金属製プレートを備えていると、ブラシ部の厚みを大きくすることなくブリスルの保持強度を十分に保つことができる。
【００１２】
ブラシ部に接触してブラシ部の接地を行う接地用接触部材を備えたものとするのも好ましい。
【００１３】
【発明の実施の形態】
以下本発明を実施の形態の一例に基づいて詳述すると、図示例のヘアドライヤーは、円筒状の本体１と、この本体１に着脱自在に装着されるヘアセット部２とからなるもので、後端に吸い込み口１１が開口するとともに前端が空気吐出口１２となっている本体１内には後端側から順にファン１３とファン駆動用のモータ１４、ヒータブロック１５が収納されている。図中１６は整流用のファン、１７はスイッチ部である。
【００１４】
ヘアセット部２は、先端が閉じているとともに上記本体１に連結される後端が開口している筒状の風洞部２０と、風洞部２０の側面開口に着脱自在に取り付けられたブラシ部２１とからなるもので、ブラシ部２１には多数本のブリスル２５が配設されているとともに多数の吹き出し口２６が形成されている。また、風洞部２０の内部先端側には図３に示すようにマイナスイオン発生回路３０が、中央内部にはマイナスイオン発生部３１が配設されている。このマイナスイオン発生部３１で発生させたマイナスイオンは、ブラシ部２１の中央に開口するマイナスイオン吹き出し口３２から外部に放出される。なお、上記マイナスイオン発生部３１は、本体１から送られてくる熱風による温度上昇を防ぐために２層からなる空気層４０と断温風シールゴム４１と断熱材２によって温風通路となる部分との間の断熱がなされている。
【００１５】
そして上記ブラシ部２１は、柔軟性を有するとともに上記吹き出し口２６やマイナスイオン吹き出し口３２が開口しているブリスルベース２２と、このブリスルベース２２の背面に取り付けられてブリスルベース２２に挿通された多数のブリスル２５の背後を支持する金属製で且つ多数の孔が開けられているプレート２３と、ブリスルベース２２の周縁のうちの三方に埋め込まれた１本の金属線からなる支持枠２４とで構成されており、支持枠２４の両端はブリスルベース２２の先端面両側から突出して係止突起３５，３５を構成している。また、ブリスルベース２４の後端側には一対のフック３６，３６が取り付けられている。なお、支持枠２４はこのフック３６を貫通しており、フック３６が支持枠２４がブリスルベース２２から脱落してしまうことを防ぐ存在ともなっている。
【００１６】
風洞部２０に対するブラシ部２１の取り付けは、風洞部２０の側面開口の先端側に形成されている図４に示す係止孔４５，４５に上記支持枠２４と一体の係止突起３５，３５を差し込むとともに、上記フック３６，３６を風洞部２０に設けた係止溝４６，４６に係止することで行われている。もっとも、ブリスルベース２２は前述のように柔軟性を有する材質で形成されている関係上、ブリスルベース２２に取り付けた上記フック３６に強いばね性を持たせることができないことから、ここでは風洞部２０内に板ばね４７を配して、この板ばね４７でフック３６を係止溝４６側に付勢することで、フック３６と係止溝４６との係合力を高めている。
【００１７】
柔軟性に富むブリスルベース２２に多数のブリスル２５が取り付けられていることから、ブリスル２５は毛髪を捉えやすいものとなっており、しかもブリスルベース２２が柔軟性を有するとはいえ、支持枠２４の存在によって風洞部２１への取付強度や外形の保形性が保たれているものであり、また金属製のプレート２３により、厚みの増大を避けつつブリスル２５の保持強度を維持しているものである。
【００１８】
また風洞部２０内にはブラシ部２１の内面に接触する接地用接触板４８が配設されて、ブラシ部２１はこの接地用接触板４８を介して接地されるようになっている。
【００１９】
なお、上記風洞部２０は本体１と一体に設けられたものであってもよい。
【００２０】
【発明の効果】
以上のように本発明においては、ブラシ部におけるブリスルベースは柔軟性が高いために、ブリスルベースに設けたブリスルで毛髪を捉えることが容易なものであり、しかも風洞部に対してブラシ部は着脱自在であることから、風洞部内に電気回路が配設されていてもブラシ部のみを外すことで水洗いが可能なものであり、しかも支持枠がブリスルベースの周縁部に配されているために、風洞部に対する着脱等のためにブラシ部に求められる強度を保つことができる。
【００２１】
上記支持枠は金属製であることが厚みを厚くせずに強度を確保できる点で好ましく、特にブリスルベースの周縁に沿って配設された金属線で形成されたものがブリスルベースの柔軟性によるところの毛髪の捉えやすさを損なうことがなくて好ましい。
【００２２】
そして、支持枠がブラシ部の風洞部への着脱用係合部を備えていると、ブラシ部の風洞部への取付強度を確保することが容易となる。
【００２３】
ブラシ部が風洞部に設けられた係合溝に係合するフックを備えたものにおいては、風洞部は上記係合溝に向けて上記フックを押圧付勢するばね部材を備えていると、ブリスルベースの柔軟性にかかわらず、風洞部への確実な取り付けを行うことができる。
【００２４】
また、ブラシ部はブリスルベースの背面側に位置してブリスルベースに挿通されたブリスルの背後を保持する金属製プレートを備えていると、ブラシ部の厚みを大きくすることなくブリスルの保持強度を十分に保つことができる。
【００２５】
ブラシ部に接触してブラシ部の接地を行う接地用接触部材を備えたものとすると、毛髪をブラッシングする際に生じる静電気で髪が広がって納まりが悪くなるという問題を無くすことができる。
【図面の簡単な説明】
【図１】本発明の実施の形態の一例の断面図（図２中のＥ−Ｅ線断面図）である。
【図２】同上の全体を示す破断正面図である。
【図３】同上のヘアセット部の縦断面図（図２中のＡ−Ａ線断面図）である。
【図４】同上の風洞部の正面図である。
【図５】同上のブラシ部の背面図である。
【図６】同上のブラシ部の縦断面図（図７中のＢ−Ｂ線断面図）である。
【図７】同上のブラシ部の正面図である。
【図８】図５中のＣ−Ｃ線断面図である。
【図９】図５中のＤ−Ｄ線断面図である。
【符号の説明】
１  本体
２  毛髪セット部
２０  風洞部
２１  ブラシ部
２２  ブリスルベース
２４  支持枠
２５  ブリスル
【図１】
2004222745.tif 000003
【図２】
2004222745.tif 000004
【図３】
2004222745.tif 000005
【図４】
2004222745.tif 000006
【図５】
2004222745.tif 000007
【図６】
2004222745.tif 000008
【図７】
2004222745.tif 000009
【図８】
2004222745.tif 000010
【図９】
2004222745.tif 000011
【手続補正書】
【提出日】平成15年4月21日(2003.4.21)
【手続補正１】
【補正対象書類名】明細書
【補正対象項目名】０００２
【補正方法】変更
【補正の内容】
【０００２】
【従来の技術】
毛髪乾燥や整髪を効果的に行うためにブラシ部が設けられているヘアドライヤーがある。この種のブラシ付ヘアドライヤーでは、ブラシ部を側面に備えた風洞部内を温風を通る関係上、ブラシ部も剛性の高い成形品で構成されている。特にマイナスイオン発生機構やスチーム発生機構が設けられているものでは、ブラシ部を側面に備えた風洞部内にマイナスイオンやスチームの発生機構を配していることから、なおさら高い剛性を持つものにされている。
【特許文献１】
実開昭６３−２８４０３号公報